(57)【要約】      （修正有）【課題】出力本体部に対してトイレ本体部がずれてしまう恐れを軽減し、動物や排泄物の重さをより正確に計測する動物用トイレを提供する。【解決手段】上容器１０は、上下方向に貫通する複数の孔ｈを備え、下容器３０は、複数の孔ｈを通過した排泄物を受ける受け部３２を備え、出力部６１は、トイレ本体部１と接触する頂面６１ａと、頂面６１ａの縁から上下方向に沿って設けられた側壁６１ｂを備え、頂面６１ａに作用する力の大きさに応じた信号を出力し、トイレ本体部１に設けられたトイレ側規制部２６と、出力本体部６０に設けられた出力側規制部６２とからなる位置規制手段を有し、出力側規制部６２は、側壁６１ｂとは異なる部位であり、位置規制手段は、前後方向又は左右方向の少なくとも一方におけるトイレ本体部１と出力本体部６０の相対位置を規制する動物用トイレ。【選択図】図７
2020130031.tif 000002
【特許請求の範囲】
【請求項１】
前後方向、左右方向、及び上下方向を備え、
上容器と下容器を備えるトイレ本体部と、
出力部を備える出力本体部と、
を有する動物用トイレであって、
前記上容器は、前記上下方向に貫通する複数の孔を備え、
前記下容器は、前記複数の孔を通過した排泄物を受ける受け部を備え、
前記出力部は、前記トイレ本体部と接触する頂面と、前記頂面の縁から前記上下方向に沿って設けられた側壁を備え、前記頂面に作用する力の大きさに応じた信号を出力し、
前記トイレ本体部に設けられたトイレ側規制部と、前記出力本体部に設けられた出力側規制部とからなる位置規制手段を有し、
前記出力側規制部は、前記側壁とは異なる部位であり、
前記位置規制手段は、前記前後方向又は前記左右方向の少なくとも一方における前記トイレ本体部と前記出力本体部の相対位置を規制することを特徴とする動物用トイレ。
【請求項２】
請求項１に記載の動物用トイレであって、
前記トイレ側規制部は、前記トイレ本体部の下面に設けられた、上側に向かって凹んだトイレ側凹部であり、
前記出力側規制部は、前記頂面より上側に向かって突出した出力側凸部であり、
前記位置規制手段は、前記トイレ側凹部と前記出力側凸部とを嵌合させて、前記前後方向又は前記左右方向の少なくとも一方における前記トイレ本体部と前記出力本体部の相対位置を規制することを特徴とする動物用トイレ。
【請求項３】
請求項２に記載の動物用トイレであって、
前記トイレ側凹部と前記出力側凸部とを嵌合させて、前記前後方向における前記トイレ本体部と前記出力本体部の相対位置を規制することを特徴とする動物用トイレ。
【請求項４】
請求項３に記載の動物用トイレであって、
前記トイレ側凹部及び前記出力側凸部は、前記動物用トイレの前記前後方向における中央より前側及び後側に設けられていることを特徴とする動物用トイレ。
【請求項５】
請求項２から４のいずれか１項に記載の動物用トイレであって、
前記トイレ側凹部と前記出力側凸部とを嵌合させて、前記左右方向における前記トイレ本体部と前記出力本体部の相対位置を規制することを特徴とする動物用トイレ。
【請求項６】
請求項５に記載の動物用トイレであって、
前記トイレ側凹部及び前記出力側凸部は、前記動物用トイレの前記左右方向における中央より一方側及び他方側に設けられていることを特徴とする動物用トイレ。
【請求項７】
請求項２に記載の動物用トイレであって、
前記トイレ側凹部及び前記出力側凸部は、前記動物用トイレの前記前後方向における中央より前側及び後側と、前記左右方向における中央より一方側及び他方側に設けられていることを特徴とする動物用トイレ。
【請求項８】
請求項２から７のいずれか１項に記載の動物用トイレであって、
前記トイレ本体部は、下面に設けられた、下側に向かって最も突出したトイレ最大凸部を備え、
前記トイレ側凹部は、前記前後方向及び前記左右方向において、前記トイレ最大凸部より内側に設けられていることを特徴とする動物用トイレ。
【請求項９】
請求項８に記載の動物用トイレであって、
前記トイレ本体部は、下面に、前記トイレ側凹部と前記前後方向又は前記左右方向においてそれぞれ隣接する外側隣接凸部と内側隣接凸部を備え、
前記トイレ最大凸部は、前記外側隣接凸部より下側に突出していることを特徴とする動物用トイレ。
【請求項１０】
請求項２から９のいずれか１項に記載の動物用トイレであって、
前記トイレ本体部は、トイレ下側開口部と、前記トイレ側凹部と前記前後方向又は前記左右方向においてそれぞれ隣接する外側隣接凸部と内側隣接凸部を、それぞれ下面に備え、
前記内側隣接凸部の内側の端部は、前記トイレ下側開口部に沿っていることを特徴とする動物用トイレ。
【請求項１１】
前後方向、左右方向、及び上下方向を備え、
上容器と下容器を備えるトイレ本体部と、
出力部を備える出力本体部と、
を有する動物用トイレであって、
前記上容器は、前記上下方向に貫通する複数の孔を備え、
前記下容器は、前記複数の孔を通過した排泄物を受ける受け部を備え、
前記トイレ本体部に設けられたトイレ側規制部と、前記出力本体部に設けられた出力側規制部とからなる位置規制手段を有し、
前記出力部は、前記トイレ本体部の底面と接触する頂面を備え、前記頂面に作用する力の大きさに応じた信号を出力し、
前記トイレ側規制部は、前記トイレ本体部の外側面であり、
前記出力側規制部は、前記頂面とは異なる部位であり、
前記出力側規制部と前記トイレ本体部の外側面との当接によって前記前後方向又は前記左右方向の少なくとも一方における前記トイレ本体部と前記出力本体部の相対位置を規制することを特徴とする動物用トイレ。
【請求項１２】
請求項１１に記載の動物用トイレであって、
前記トイレ側規制部は、前記トイレ本体部の外側面であり、
前記出力側規制部は、前記トイレ本体部より外側に設けられた、上側に突出する出力側突出部であり、
前記出力側規制部の上端は、前記出力部の上端より上側に設けられていることを特徴とする動物用トイレ。
【請求項１３】
請求項１２に記載の動物用トイレであって、
前記出力側突出部は、前記前後方向において、前記トイレ本体部より前側又は後側に設けられていることを特徴とする動物用トイレ。
【請求項１４】
請求項１３に記載の動物用トイレであって、
前記出力側突出部は、前記前後方向において、前記トイレ本体部より前側及び後側に設けられていることを特徴とする動物用トイレ。
【請求項１５】
請求項１２から１４のいずれか１項に記載の動物用トイレであって、
前記出力側突出部は、前記左右方向において、前記トイレ本体部より一方側の外側に設けられていることを特徴とする動物用トイレ。
【請求項１６】
請求項１５に記載の動物用トイレであって、
前記出力側突出部は、前記左右方向において、前記トイレ本体部より一方側及び他方側のそれぞれ外側に設けられていることを特徴とする動物用トイレ。
【請求項１７】
請求項１２から１６のいずれか１項に記載の動物用トイレであって、
前記出力側突出部は、前記前後方向における前記トイレ本体部より前側及び後側と、前記左右方向における前記トイレ本体部より一方側及び他方側のそれぞれ外側に設けられていることを特徴とする動物用トイレ。
【請求項１８】
請求項１２から１７のいずれか１項に記載の動物用トイレであって、
前記トイレ本体部は、前側に前側開口部を備えた下側本体を有し、
前記下容器は、前記前側開口部から前記前後方向に沿って抜き差し可能であり、
前記出力側突出部は、前記前後方向において、前記トイレ本体部より前側に設けられ、
前記出力側突出部は、前記上下方向において、前記前側開口部より下側で前記下側本体と重なることを特徴とする動物用トイレ。
【請求項１９】
請求項１２から１７のいずれか１項に記載の動物用トイレであって、
前記トイレ本体部は、前側に前側開口部を備えた下側本体を有し、
前記下容器は、前記前側開口部から前記前後方向に沿って抜き差し可能であり、
前記出力側突出部は、前記前後方向において、前記トイレ本体部より前側に設けられ、
前記出力側突出部は、前記上下方向において、前記前側開口部より上側で前記下側本体と重なることを特徴とする動物用トイレ。
【請求項２０】
請求項１２から１７のいずれか１項に記載の動物用トイレであって、
前記トイレ本体部は、前側に前側開口部を備えた下側本体を有し、
前記下容器は、前記前側開口部から前記前後方向に沿って抜き差し可能であり、
前記出力側突出部は、前記前後方向において、前記トイレ本体部より前側に設けられ、
前記出力側突出部は、前記左右方向において、前記前側開口部より外側で前記下側本体と重なることを特徴とする動物用トイレ。
【請求項２１】
請求項１２から１７のいずれか１項に記載の動物用トイレであって、
前記トイレ本体部は、前側に前側開口部を備えた下側本体を有し、
前記下容器は、前記前側開口部から前記前後方向に沿って抜き差し可能であり、
前記出力側突出部は、前記前後方向において、前記トイレ本体部より前側に設けられ、
前記出力側突出部は、前記前後方向に沿って見た場合に、前記前側開口部と重ならず、
前記出力側突出部は、前記前後方向に沿って見た場合に、前記下側本体と重なることを特徴とする動物用トイレ。
【請求項２２】
請求項１２から２１のいずれか１項に記載の動物用トイレであって、
前記出力側突出部は、前記前後方向において、前記トイレ本体部より前側に設けられており、
前記出力側突出部は、前記トイレ本体部と当接可能な当接部と、前記当接部より前側に延出する延出部を備えることを特徴とする動物用トイレ。
【請求項２３】
請求項１２に記載の動物用トイレであって、
前記トイレ本体部は、前側に前側開口部を備えた下側本体を有し、
前記下容器は、前記前側開口部から前記前後方向に沿って抜き差し可能であり、
前記出力側突出部は、前記前後方向における前記トイレ本体部より後側と、前記左右方向における前記トイレ本体部より一方側及び他方側のそれぞれ外側に設けられており、前記前後方向における前記トイレ本体部より前側に設けられていないことを特徴とする動物用トイレ。
【発明の詳細な説明】
【技術分野】
【０００１】
本発明は、動物用トイレに関する。
【背景技術】
【０００２】
従来、動物用トイレとして、室内で飼育される猫等の動物が使用するものが知られている。また、特許文献１に示すように、動物の排泄物の重量や動物の体重を計測する第１重量計２１、第２重量計２２を有するペット用トイレ１も知られている。特許文献１に示すペット用トイレ１は、第１重量計２１及び第２重量計２２を備えた支持部１５の上側に、排泄トレイ１３等を備えた本体容器１０が配置されている。ペット用トイレ１の第１重量計２１は、計測台１２や動物の重量がかからない排泄トレイ１３を支持しており、排泄物の有無による排泄トレイ１３の重量の変化を計測することで、排泄物の重量を計測する。
【先行技術文献】
【特許文献】
【０００３】
【特許文献１】国際公開第２０１７／１０４２１６号公報
【発明の概要】
【発明が解決しようとする課題】
【０００４】
排泄をするために猫等の動物が、特許文献１に記載のペット用トイレ１に、例えばペット用トイレ１の前側から飛び乗ったりすると、本体容器１０には前側から後側への力が加わりやすい。これによって、支持部１５に対して本体容器１０がずれてしまう恐れがあるところ、支持部１５に設けられた第１重量計２１が本体容器１０の底部の孔を貫通して排泄トレイ１３に接触しているため、動物がペット用トイレ１の前側から飛び乗ったとしても、本体容器１０が第１重量計２１の側面に当たるため、本体容器１０が支持部１５に対して後側にずれにくい。
【０００５】
しかし、第１重量計２１の側面には、本体容器１０からの力が複数回加わるため、第１重量計２１が破損してしまったり、故障してしまったりして、動物の排泄物や動物の体重を正確に測定できない恐れがあった。
【０００６】
本発明は、上記のような問題に鑑みてなされたものであって、その目的とするところは、出力本体部に対してトイレ本体部がずれてしまう恐れを軽減しつつ、動物の重量や排泄物の重さをより正確に計測することができる動物用トイレを提供することにある。
【課題を解決するための手段】
【０００７】
上記目的を達成するための主たる発明は、前後方向、左右方向、及び上下方向を備え、上容器と下容器を備えるトイレ本体部と、出力部を備える出力本体部と、を有する動物用トイレであって、前記上容器は、前記上下方向に貫通する複数の孔を備え、前記下容器は、前記複数の孔を通過した排泄物を受ける受け部を備え、前記出力部は、前記トイレ本体部と接触する頂面と、前記頂面の縁から前記上下方向に沿って設けられた側壁を備え、前記頂面に作用する力の大きさに応じた信号を出力し、前記トイレ本体部に設けられたトイレ側規制部と、前記出力本体部に設けられた出力側規制部とからなる位置規制手段を有し、前記出力側規制部は、前記側壁とは異なる部位であり、前記位置規制手段は、前記前後方向又は前記左右方向の少なくとも一方における前記トイレ本体部と前記出力本体部の相対位置を規制することを特徴とする動物用トイレである。
本発明の他の特徴については、本明細書及び添付図面の記載により明らかにする。
【発明の効果】
【０００８】
本発明によれば、例えば、動物が動物用トイレに飛び乗った場合等において、出力本体部に対してトイレ本体部の位置が前後方向又は左右方向にずれてしまう恐れを軽減しつつ、出力部が破損する恐れを軽減させて、動物の重量や動物の排泄物の重量をより正確に測定しやすくすることができる。
【図面の簡単な説明】
【０００９】
【図１】図１は、第１実施形態の動物用トイレ１００の概略斜視図である。
【図２】図２は、動物用トイレ１００の分解側面図である。
【図３】図３Ａは、トイレ本体部１からカバー４０を外した状態の概略平面図であり、図３Ｂは、図３Ａ中のＡ−Ａ断面図たる概略中心横断面図であり、図３Ｃは、図３Ａ中のＣ−Ｃ断面図たる概略中心断面図である。
【図４】図４は、動物用トイレ１００を下側から見た概略平面図である。
【図５】図５Ａは、出力本体部６０の概略平面図である。図５Ｂは、出力本体部６０の概略右側側面図である。図５Ｃは、出力本体部６０の概略前側側面図である。
【図６】図６は、第１実施形態の各重量の特定について説明する図である。
【図７】図７Ａは、動物用トイレ１００の前側部分の左右方向の中心における概略断面図である。図７Ｂは、動物用トイレ１００の左側部分の前後方向の中心における概略断面図である。
【図８】図８Ａは、第１実施形態の変形例の出力本体部６０の概略平面図である。図８Ｂは、第１実施形態の変形例の出力本体部６０の概略平面図である。図８Ｃは、第１実施形態の変形例の出力本体部６０の概略平面図である。図８Ｄは、第１実施形態の変形例の出力本体部６０の概略平面図である。
【図９】図９は、第２実施形態の動物用トイレ１０１の概略斜視図である。
【図１０】図１０は、動物用トイレ１０１の分解斜視図である。
【図１１】図１１は、第３実施形態の動物用トイレ１０２の概略斜視図である。
【図１２】図１２は、動物用トイレ１０２の分解側面部である。
【図１３】図１３Ａは、動物用トイレ１０２を前側から見た概略正面図である。図１３Ｂは、動物用トイレ１０２を後側から見た概略正面図である。
【図１４】図１４Ａは、出力本体部６０２の概略平面図である。図１４Ｂは、出力本体部６０２の概略斜視図である。
【図１５】図１５Ａは、動物用トイレ１０２の後側部分の左右方向の中心における概略断面図である。図１５Ｂは、動物用トイレ１０２の左側部分の前後方向の中心における概略断面図である。
【図１６】図１６Ａは、第３実施形態の変形例の出力本体部６０２の概略斜視図である。図１６Ｂは、第３実施形態の変形例の出力本体部６０２の概略斜視図である。図１６Ｃは、第３実施形態の変形例の出力本体部６０２の概略斜視図である。図１６Ｄは、第３実施形態の変形例の出力本体部６０２の概略斜視図である。
【図１７】図１７Ａは、第３実施形態の変形例の出力本体部６０２の概略斜視図である。図１７Ｂは、第３実施形態の変形例の出力本体部６０２の概略斜視図である。図１７Ｃは、第３実施形態の変形例の出力本体部６０２の概略斜視図である。
【図１８】図１８Ａは、第３実施形態の変形例の出力本体部６０２の概略斜視図である。図１８Ｂは、第３実施形態の変形例の出力本体部６０２の概略斜視図である。
【発明を実施するための形態】
【００１０】
本明細書及び添付図面の記載により、少なくとも以下の事項が明らかとなる。
前後方向、左右方向、及び上下方向を備え、上容器と下容器を備えるトイレ本体部と、出力部を備える出力本体部と、を有する動物用トイレであって、前記上容器は、前記上下方向に貫通する複数の孔を備え、前記下容器は、前記複数の孔を通過した排泄物を受ける受け部を備え、前記出力部は、前記トイレ本体部と接触する頂面と、前記頂面の縁から前記上下方向に沿って設けられた側壁を備え、前記頂面に作用する力の大きさに応じた信号を出力し、前記トイレ本体部に設けられたトイレ側規制部と、前記出力本体部に設けられた出力側規制部とからなる位置規制手段を有し、前記出力側規制部は、前記側壁とは異なる部位であり、前記位置規制手段は、前記前後方向又は前記左右方向の少なくとも一方における前記トイレ本体部と前記出力本体部の相対位置を規制することを特徴とする動物用トイレである。
【００１１】
このような動物用トイレによれば、例えば、動物が動物用トイレに飛び乗った場合等において、出力本体部に対してトイレ本体部の位置が前後方向又は左右方向にずれてしまう恐れを軽減しつつ、出力部が破損する恐れを軽減させて、動物の重量や動物の排泄物の重量をより正確に測定しやすくすることができる。
【００１２】
かかる動物用トイレであって、前記トイレ側規制部は、前記トイレ本体部の下面に設けられた、上側に向かって凹んだトイレ側凹部であり、前記出力側規制部は、前記頂面より上側に向かって突出した出力側凸部であり、前記位置規制手段は、前記トイレ側凹部と前記出力側凸部とを嵌合させて、前記前後方向又は前記左右方向の少なくとも一方における前記トイレ本体部と前記出力本体部の相対位置を規制することが望ましい。
【００１３】
このような動物用トイレによれば、嵌合されたトイレ側凹部と出力側凸部が前後方向又は左右方向に当接することによって、出力本体部に対してトイレ本体部の位置が前後方向又は左右方向にずれてしまう恐れを軽減させることができる。
【００１４】
かかる動物用トイレであって、前記トイレ側凹部と前記出力側凸部とを嵌合させて、前記前後方向における前記トイレ本体部と前記出力本体部の相対位置を規制することが望ましい。
【００１５】
このような動物用トイレによれば、例えば、動物が動物用トイレに前側又は後側から飛び乗った場合等において、出力本体部に対してトイレ本体部の前後方向の位置がずれてしまう恐れを軽減させることができる。
【００１６】
かかる動物用トイレであって、前記トイレ側凹部及び前記出力側凸部は、前記動物用トイレの前記前後方向における中央より前側及び後側に設けられていることが望ましい。
【００１７】
このような動物用トイレによれば、例えば、動物が動物用トイレに前側又は後側から飛び乗った場合等において、出力本体部に対してトイレ本体部の前後方向の位置がずれてしまう恐れをより軽減させることができる。
【００１８】
かかる動物用トイレであって、前記トイレ側凹部と前記出力側凸部とを嵌合させて、前記左右方向における前記トイレ本体部と前記出力本体部の相対位置を規制することが望ましい。
【００１９】
このような動物用トイレによれば、例えば、動物が動物用トイレに左右方向の他方側から飛び乗った場合等において、出力本体部に対してトイレ本体部の左右方向の位置がずれてしまう恐れを軽減させることができる。
【００２０】
かかる動物用トイレであって、前記トイレ側凹部及び前記出力側凸部は、前記動物用トイレの前記左右方向における中央より一方側及び他方側に設けられていることが望ましい。
【００２１】
このような動物用トイレによれば、例えば、動物が動物用トイレに左右方向の一方側又は他方側から飛び乗った場合等において、出力本体部に対してトイレ本体部の左右方向の位置がずれてしまう恐れをより軽減させることができる。
【００２２】
かかる動物用トイレであって、前記トイレ側凹部及び前記出力側凸部は、前記動物用トイレの前記前後方向における中央より前側及び後側と、前記左右方向における中央より一方側及び他方側に設けられていることが望ましい。
【００２３】
このような動物用トイレによれば、例えば、動物が動物用トイレにどの方向から飛び乗ったとしても、出力本体部に対してトイレ本体部の左右方向の位置がずれてしまう恐れをより軽減させることができる。
【００２４】
かかる動物用トイレであって、前記トイレ本体部は、下面に設けられた、下側に向かって最も突出したトイレ最大凸部を備え、前記トイレ側凹部は、前記前後方向及び前記左右方向において、前記トイレ最大凸部より内側に設けられていることが望ましい。
【００２５】
このような動物用トイレによれば、トイレ本体部に対して前後方向又は左右方向に大きな力が加えられた場合も、出力本体部の出力凸部がトイレ最大凸部に当接することで、出力本体部に対してトイレ本体部が、前後方向又は左右方向に大きくずれてしまう恐れを軽減させることができる。
【００２６】
かかる動物用トイレであって、前記トイレ本体部は、下面に、前記トイレ側凹部と前記前後方向又は前記左右方向においてそれぞれ隣接する外側隣接凸部と内側隣接凸部を備え、前記トイレ最大凸部は、前記外側隣接凸部より下側に突出していることが望ましい。
【００２７】
このような動物用トイレによれば、トイレ本体部に対して前後方向又は左右方向に大きな力が加えられ、トイレ側凹部と出力側凸部の嵌合が外れてしまった場合でも、トイレ最大凸部と出力側凸部との当接によって、出力本体部に対してトイレ本体部が、前後方向又は左右方向に大きくずれてしまう恐れを軽減させることができる。
【００２８】
かかる動物用トイレであって、前記トイレ本体部は、トイレ下側開口部と、前記トイレ側凹部と前記前後方向又は前記左右方向においてそれぞれ隣接する外側隣接凸部と内側隣接凸部を、それぞれ下面に備え、前記内側隣接凸部の内側の端部は、前記トイレ下側開口部に沿っていることが望ましい。
【００２９】
このような動物用トイレによれば、内側隣接凸部は、トイレ側凹部を構成するとともに、トイレ下側開口部の輪郭を補強することができるため、トイレ本体部の破損や損傷を軽減させることができる。
【００３０】
かかる動物用トイレであって、前後方向、左右方向、及び上下方向を備え、上容器と下容器を備えるトイレ本体部と、出力部を備える出力本体部と、を有する動物用トイレであって、前記上容器は、前記上下方向に貫通する複数の孔を備え、前記下容器は、前記複数の孔を通過した排泄物を受ける受け部を備え、前記トイレ本体部に設けられたトイレ側規制部と、前記出力本体部に設けられた出力側規制部とからなる位置規制手段を有し、前記出力部は、前記トイレ本体部の底面と接触する頂面を備え、前記頂面に作用する力の大きさに応じた信号を出力し、前記トイレ側規制部は、前記トイレ本体部の外側面であり、前記出力側規制部は、前記頂面とは異なる部位であり、前記出力側規制部と前記トイレ本体部の外側面との当接によって前記前後方向又は前記左右方向の少なくとも一方における前記トイレ本体部と前記出力本体部の相対位置を規制することが好ましい。
【００３１】
このような動物用トイレによれば、出力部の頂面とトイレ本体部の底面との接触状態を維持しつつ、位置規制手段とトイレ本体部の外側面との当接によって、出力本体部に対してトイレ本体部の前後方向又は左右方向の位置がずれてしまう恐れを軽減させることができる。
【００３２】
かかる動物用トイレであって、前記トイレ側規制部は、前記トイレ本体部の外側面であり、前記出力側規制部は、前記トイレ本体部より外側に設けられた、上側に突出する出力側突出部であり、前記出力側規制部の上端は、前記出力部の上端より上側に設けられていることが望ましい。
【００３３】
このような動物用トイレによれば、前記出力側突出部と前記トイレ本体部の外側面との当接によって、出力本体部に対してトイレ本体部の前後方向又は左右方向の位置がずれてしまう恐れを軽減させることができる。
【００３４】
かかる動物用トイレであって、前記出力側突出部は、前記前後方向において、前記トイレ本体部より前側又は後側に設けられていることが望ましい。
【００３５】
このような動物用トイレによれば、例えば、動物が動物用トイレに前側から飛び乗った場合等において、出力本体部に対してトイレ本体部の位置が前後方向にずれてしまう恐れを軽減させることができる。
【００３６】
かかる動物用トイレであって、前記出力側突出部は、前記前後方向において、前記トイレ本体部より前側及び後側に設けられていることが望ましい。
【００３７】
このような動物用トイレによれば、例えば、動物が動物用トイレに前側から飛び乗った場合等において、出力本体部に対してトイレ本体部の前後方向の位置がずれてしまう恐れを軽減させることができる。
【００３８】
かかる動物用トイレであって、前記出力側突出部は、前記左右方向において、前記トイレ本体部より一方側の外側に設けられていることが望ましい。
【００３９】
このような動物用トイレによれば、例えば、動物が動物用トイレに一方側又は他方側から飛び乗った場合等において、出力本体部に対してトイレ本体部の左右方向の位置がずれてしまう恐れを軽減させることができる。
【００４０】
かかる動物用トイレであって、前記出力側突出部は、前記左右方向において、前記トイレ本体部より一方側及び他方側のそれぞれ外側に設けられていることが望ましい。
【００４１】
このような動物用トイレによれば、例えば、動物が動物用トイレに一方側又は他方側から飛び乗った場合等において、出力本体部に対してトイレ本体部の左右方向の位置がずれてしまう恐れをより軽減させることができる。
【００４２】
かかる動物用トイレであって、前記出力側突出部は、前記前後方向における前記トイレ本体部より前側及び後側と、前記左右方向における前記トイレ本体部より一方側及び他方側のそれぞれ外側に設けられていることが望ましい。
【００４３】
このような動物用トイレによれば、例えば、動物が動物用トイレにどの方向から飛び乗った場合でも、出力本体部に対してトイレ本体部の前後方向の位置がずれてしまう恐れをより軽減させることができる。
【００４４】
かかる動物用トイレであって、前記トイレ本体部は、前側に前側開口部を備えた下側本体を有し、前記下容器は、前記前側開口部から前記前後方向に沿って抜き差し可能であり、前記出力側突出部は、前記前後方向において、前記トイレ本体部より前側に設けられ、前記出力側突出部は、前記上下方向において、前記前側開口部より下側で前記下側本体と重なることが望ましい。
【００４５】
このような動物用トイレによれば、下側本体から下容器を抜き差し可能としつつ、出力本体部に対してトイレ本体部が少なくとも前側にずれてしまう恐れをより軽減させることができる。
【００４６】
かかる動物用トイレであって、前記トイレ本体部は、前側に前側開口部を備えた下側本体を有し、前記下容器は、前記前側開口部から前記前後方向に沿って抜き差し可能であり、前記出力側突出部は、前記前後方向において、前記トイレ本体部より前側に設けられ、前記出力側突出部は、前記上下方向において、前記前側開口部より上側で前記下側本体と重なることが望ましい。
【００４７】
このような動物用トイレによれば、下側本体から下容器を抜き差し可能としつつ、出力本体部に対してトイレ本体部が少なくとも前側にずれてしまう恐れをより軽減させることができる。
【００４８】
かかる動物用トイレであって、前記トイレ本体部は、前側に前側開口部を備えた下側本体を有し、前記下容器は、前記前側開口部から前記前後方向に沿って抜き差し可能であり、前記出力側突出部は、前記前後方向において、前記トイレ本体部より前側に設けられ、前記出力側突出部は、前記左右方向において、前記前側開口部より外側で前記下側本体と重なることが望ましい。
【００４９】
このような動物用トイレによれば、下側本体から下容器を抜き差し可能としつつ、出力本体部に対してトイレ本体部が少なくとも前側にずれてしまう恐れをより軽減させることができる。
【００５０】
かかる動物用トイレであって、前記トイレ本体部は、前側に前側開口部を備えた下側本体を有し、前記下容器は、前記前側開口部から前記前後方向に沿って抜き差し可能であり、前記出力側突出部は、前記前後方向において、前記トイレ本体部より前側に設けられ、前記出力側突出部は、前記前後方向に沿って見た場合に、前記前側開口部と重ならず、前記出力側突出部は、前記前後方向に沿って見た場合に、前記下側本体と重なることが望ましい。
【００５１】
このような動物用トイレによれば、下側本体から下容器を抜き差し可能としつつ、出力本体部に対してトイレ本体部が少なくとも前側にずれてしまう恐れをより軽減させることができる。
【００５２】
かかる動物用トイレであって、前記出力側突出部は、前記前後方向において、前記トイレ本体部より前側に設けられており、前記出力側突出部は、前記トイレ本体部と当接可能な当接部と、前記当接部より前側に延出する延出部を備えることが望ましい。
【００５３】
このような動物用トイレによれば、動物が延出部に脚を掛けてからトイレ本体部の内側に入りやすくさせることで、出力本体部の位置に対してトイレ本体部がずれてしまう恐れを軽減させることができる。
【００５４】
かかる動物用トイレであって、前記トイレ本体部は、前側に前側開口部を備えた下側本体を有し、前記下容器は、前記前側開口部から前記前後方向に沿って抜き差し可能であり、前記出力側突出部は、前記前後方向における前記トイレ本体部より後側と、前記左右方向における前記トイレ本体部より一方側及び他方側のそれぞれ外側に設けられており、前記前後方向における前記トイレ本体部より前側に設けられていないことが望ましい。
【００５５】
このような動物用トイレによれば、下側本体から下容器を抜き差し可能としつつ、出力本体部に対してトイレ本体部が少なくとも後側、及び左右方向にずれてしまう恐れをより軽減させることができる。
【００５６】
＝＝＝本実施形態＝＝＝
本実施形態に係る動物用トイレ１００は、例えば室内で飼われる猫等の動物が使用するトイレである。本明細書中における「動物」とは、猫、犬、ウサギ、ハムスター等のいわゆるペットのみならず、トラやライオンの赤ちゃん等も含む。また、動物用トイレ１００の「使用者」とは、動物の飼い主や飼育者であり、動物用トイレ１００を管理する者をいう。動物用トイレ１００は、例えば室内の床等の載置面上に設置されて使用される。なお、以下の説明では、互いに直交する三方向を、前後方向、左右方向、及び上下方向という。
【００５７】
＝＝＝第１実施形態＝＝＝
＜動物用トイレ１００の全体構成＞
図１は、第１実施形態の動物用トイレ１００の概略斜視図である。図２は、動物用トイレ１００の分解側面図である。
【００５８】
図１及び図２に示すように、動物用トイレ１００は、上容器１０、下側本体２０、トレイ３０、カバー４０、及び出力本体部６０と、を備えている。下側本体２０の上方から上容器１０が配され、下側本体２０及び上容器１０の上方にカバー４０が配されている。トレイ３０は下側本体２０の内側に配され、トレイ３０を収容（支持）した状態の下側本体２０は、前側開口部２３から前方に引き出し可能に収容されている。また、下側本体２０は、出力本体部６０に上方から載置されている。動物用トイレ１００のうち、上容器１０、下側本体２０、トレイ３０、カバー４０を配置した状態をトイレ本体部１という。トイレ本体部１は、所謂動物用のシステムトイレであり、動物や排泄物の重量を測定しない場合には、トイレ本体部１のみの使用が可能である。
【００５９】
動物用トイレとして使用する際には、上容器１０の内側の底面（底部１１）に複数の粒状の排泄物処理剤（不図示）を載置し、トレイ３０に吸収性シート（不図示）を配置する。排泄物処理材は、所謂猫砂であり、尿などの液体の動物の排泄物を吸収したり、透過させたりする粒状の処理材である。吸収性シートは、排泄物（尿）等の液体を吸収可能なシート部材であり、液透過性の表面シートと、液保持性の中間シートと、液不透過性の裏面シートを積層して接合した矩形状のシート部材を用いることができる。以下、主に動物用トイレ１００を使用する使用状態の動物用トイレ１００について説明し、図面等においては排泄物処理剤及び吸収性シートは省略して示す。
【００６０】
図３Ａは、トイレ本体部１からカバー４０を外した状態の概略平面図であり、図３Ｂは、図３Ａ中のＡ−Ａ断面図たる概略中心横断面図であり、図３Ｃは、図３Ａ中のＣ−Ｃ断面図たる概略中心断面図である。図３Ａ等における中心線Ｃ−Ｃは、動物用トイレ１００の左右方向の中心を示しており、動物用トイレ１００は、中心線Ｃ−Ｃに対して左右対称な形状を有している。
【００６１】
＜＜トイレ本体部１の構成＞＞
＜＜＜上容器１０の構成＞＞＞
図３Ａ〜図３Ｃ等に示すように、上容器１０は、有底無蓋の容器であり、底面に底部１１、湾曲部１２を備えている。底部１１は、平面視が略矩形形状であり、上下方向に貫通する複数の孔ｈを有する。各孔ｈは、縦長形状であり、動物の排泄物のうち、尿（液体）は通すが、糞便（固体）は通さない大きさである。湾曲部１２は、底部１１から上方に向かって湾曲した部分であり、底部１１の周縁部の全域から上方へ伸びた領域で、上容器１０の外壁を構成する壁部である。
【００６２】
＜＜＜下側本体２０の構成＞＞＞
図４は、動物用トイレ１００を下側から見た概略平面図である。下側本体２０も有底無蓋の容器である。上側に上側開口部２１と、下側に下側開口部２２と、前側に前側開口部２３と、側面に外側面２４とを有する。また、底面に、内側隣接凸部２５と、トイレ側凹部２６と、外側隣接凸部２７と、最大凸部２８を有する。図４において、便宜上、内側隣接凸部２５を黒塗り、トイレ側凹部２６を右斜め下の３本斜線部、最大凸部２８をクロスハッチングで示している。
【００６３】
上側開口部２１及び下側開口部２２は、それぞれ上下方向に貫通した略矩形状の開口部である。上容器１０は上側開口部２１に配置され、下側本体２０の上端部で上容器１０を支持する。下側開口部２２は、下側本体２０を平面視における略中央部に配置されており、上側開口部２１より小さい。下側本体２０を出力本体部６０に載置した際には、下側本体２０は出力部６１より外側で、下側本体２０の下端部（最大凸部２８）が出力本体部６０（出力部６１の頂面６１ａ）に接触する。外側面２４は、下側本体２０の側面を構成し、前壁２４ａ、後壁２４ｂ、左壁２４ｃ、右壁２４ｄを有する。前側開口部２３は、下側本体２０の前壁２４ａの下部に設けられた略矩形状の開口部であり、上側開口部２１や下側開口部２２より小さい。
【００６４】
平面視において、トイレ側凹部２６は、下側開口部２２より外側で、下側開口部２２を囲むように設けられている。トイレ側凹部２６は、上側に向かって凹んでおり、トイレ側凹部２６の最も凹んだ部分は略平面となっている。
【００６５】
内側隣接凸部２５は、下側開口部２２より外側に設けられ、トイレ側凹部２６の内側から隣接し、トイレ側凹部２６に囲まれるように設けられている。内側隣接凸部２５の内側の端部は、下側開口部２２に沿っている。内側隣接凸部２５の内側の端は、下側開口部２２の縁を構成する部分でもある。トイレ本体部１の左右方向の中央についての断面において（図７Ａ）、内側隣接凸部２５の下端は、トイレ側凹部２６の前後方向についての中央部より下側に位置しており、トイレ本体部１の前後方向の中央についての断面において（図７Ｂ）、内側隣接凸部２５の下端は、トイレ凹部２６の左右方向についての中央部より下側に位置している。また、内側隣接凸部２５の上下方向の長さ（厚み）は、トイレ本体部１の左右方向の中央についての断面におけるトイレ凹部２６の左右方向についての中央部の厚みより厚く、トイレ本体部１の前後方向の中央についての断面におけるトイレ凹部２６の前後方向についての中央部の厚みより厚い。これによって、トイレ側凹部２６の縁から破損してしまう恐れを軽減させている。
【００６６】
外側隣接凸部２７は、トイレ側凹部２６の外側から隣接し、トイレ側凹部２６を囲むように設けられている。外側隣接凸部２７の下端は、トイレ側凹部２６の下端より下側に位置している。
【００６７】
最大凸部２８は、トイレ側凹部２６より外側に設けられており、外側隣接凸部２７の外側から隣接している。最大凸部２８は、外側隣接凸部２７を外側から囲むように設けられている。また、最大凸部２８は、下容器において、最も下側に突出した部分であり、且つ、トイレ本体部１において、最も下側に突出した部分である。使用状態において、最大凸部２８が、出力本体部６０の頂面６１ａに接触する。
【００６８】
＜＜＜トレイ３０の構成＞＞＞
トレイ３０は、吸収性シートが配置される底の浅い平坦な箱状容器である。トレイ３０は、取っ手部３１と、受け部３２を有する。取っ手部３１は、トレイ３０の前後方向の両端部に設けられており、使用者が、下側本体２０にトレイ３０を収容したり、下側本体２０からトレイ３０を引き出したりする際に、取っ手部３１を掴んで操作することで、トレイ３０を前後方向にスライド移動させることができる。受け部３２は、四方を壁面で囲まれた平面状の略矩形状であり、吸収性シートを受け部３２に設置して、孔ｈを通過した排泄物（具体的には、尿）を受ける。
【００６９】
＜＜＜カバー４０の構成＞＞＞
カバー４０は、上容器１０及び下側本体２０の上方に配置されており、カバー開口部４１を有する。カバー開口部４１は、前後方向の前側に広く開口された部分であり、動物は、カバー開口部４１から動物用トイレ１００に出入りすることができる。
【００７０】
＜＜出力本体部６０の構成＞＞
図５Ａは、出力本体部６０の概略平面図である。図５Ｂは、出力本体部６０の概略右側側面図である。図５Ｃは、出力本体部６０の概略前側側面図である。図５Ａ〜図５Ｃに示すように、出力本体部６０は、出力部６１と、出力側凸部６２を有する。出力部６１は、平面視において矩形形状を有し、所定の厚みを有する。本実施形態において、出力部６１と出力側凸部６２は、それぞれ別部材で構成されており、出力部６１の頂面６１ａに出力側凸部６２を、接着剤等を用いて接合している。なお、出力部６１と出力側凸部６２を同じ素材で一体的に形成してもよい。出力側凸部６２については、後述する。
【００７１】
出力部６１は、頂面６１ａに作用する力の大きさに応じた信号を出力する。出力部６１は、頂面６１ａと、側壁６１ｂと、１つ以上のロードセル（不図示）と、制御部（不図示）を備える。出力部６１は、頂面６１ａと側壁６１ｂによって、その内部が閉じられた閉空間を有している。頂面６１ａは、出力部６１の上面であり、頂面６１ａの全域に亘って平面である。また、頂面６１ａは、トイレ本体部１と接触する部分である。具体的には、トイレ本体部１の最大凸部２８と接触して、トイレ本体部１からの力を受ける部分である。側壁６１ｂは、頂面６１ａから上下方向に沿って設けられており、出力部６１の側面を構成する。本実施形態において、出力部６１は、平面視で略矩形形状の頂面６１ａと、４つの側壁６１ｂにより構成された略直方体形状を有している。また、出力部６１は、内部に少なくとも１つのロードセルを有している。ロードセルは、加えられた力を電気信号に変換して出力するセンサーである。
【００７２】
制御部は、有線又は無線の信号線によってロードセルと接続されており、各ロードセルから出力された信号を受信する。制御部は、通信部（不図示）、記憶部（不図示）、処理部（不図示）を有している。通信部は、ロードセルや、スマートフォン、タブレット端末等の端末との間で無線、又は有線のネットワークによる通信を行う部位である。記憶部は、ＲＡＭ、ＲＯＭなどから構成されており、各種のデータやプログラムを記憶する部位である。例えば、検出した排泄前の重量、排泄物の重量、排泄回数、排泄時刻、排泄物処理剤と関連付けられた補正値等を記憶することができる。処理部は、ＣＰＵ等で構成されており、各種の演算を行う部位である。例えば、記憶部に記憶された排泄前の重量と排泄後の重量等の各検出結果から排泄物の重量を算出する等の演算処理を行う。
【００７３】
また、処理部は、信号の受信時刻や端末との通信時刻などを計時する。例えば、ロードセルから出力された信号を受信した時刻を元に、ロードセルの計測した重量の変動のタイミングから動物が排泄をした時刻、排泄にかかる時間（動物がトイレに滞在した時間等）などを算出してもよい。
【００７４】
通信部は、これらの算出結果、及び記憶部に記憶された排泄物の重量などの各種データを使用者の端末に送信することができる。また、重量の測定などにおいて重量の経時変化を検出するために、記憶部が、所定期間内の情報を蓄積するように構成することが好ましい。端末に予め格納されたプログラムが、通信部から受信した情報の処理を行い、その結果等を表示する。これによって、使用者は、動物用トイレ１００を利用する動物の排泄に関する情報（排泄回数や排泄の時間、排泄量等）を確認したり、排泄に関する情報から推定される動物の健康状態等を確認したりすることができる。
【００７５】
＜動物用トイレ１００による重量測定について＞
出力部６１に設けられたロードセルは、頂面６１ａに作用する力の大きさに応じた信号を出力する。つまり、出力本体部６０の上から載置したものの重量を測定する。図６は、第１実施形態の各重量の特定について説明する図である。図６において、横軸は、時間［ｔ］、横軸は重さ［ｗ］を示している。
【００７６】
具体的に排泄物の重さ及び動物の体重を測定する方法を説明する。まず、出力本体部６０の上方からトイレ本体部１を載置した状態における、出力部６１（ロードセル）が受ける力の大きさを測定する。このとき、ロードセルは受けた力に応じた信号を出力する。記憶部は、ロードセルから出力された時間ｔ0における動物用トイレ１００の重さとして、重さＷ0を記憶する。重さＷ0は、排泄物や動物の重さを含まない動物用トイレ１００のみの重さである。
【００７７】
次に、時間ｔ1において、動物が、動物用トイレ１００の前側から上容器１０の内側に入ると、トイレ本体部１の重量の増加に伴い、出力部６１（ロードセル）が受ける力が増加する。具体的には、時間ｔ1における、動物用トイレ１００に動物が入った状態の重さＷ3として、ロードセルは信号を出力し、記憶部は、時間ｔ1における重さＷ3を記憶する。
【００７８】
時間ｔ1から時間ｔ2の間に動物が排泄を行う。排泄物は、尿のみであってもよいし、排便であってもよい。時間ｔ1から時間ｔ2の間において、出力部６１が受ける力の大きさは略一定（重さＷ3）である。
【００７９】
続いて、時間ｔ2に動物が動物用トイレ１００の外側に出ると、トイレ本体部１の重量の減少に伴い、出力部６１が受ける力が減少する。具体的には、時間ｔ２における出力部６１が受ける力を重さＷ１として、ロードセルは信号を出力し、記憶部は、時間ｔ2における重さＷ1を記憶する。
【００８０】
制御部は、時間ｔ2における重さＷ1と、時間ｔ0における重さＷ0との差（Ｗ1−Ｗ0）を算出することで、時間ｔ1から時間ｔ2の間に動物が行った排泄物の重さを得る。同様に、時間ｔ1における重さＷ3と、時間ｔ2における重さＷ1との差（Ｗ3−Ｗ1）を算出することで、動物の体重を得る。
【００８１】
トイレ本体部１の清掃や制御部の測定結果のリセットを行うことなく、引き続き、排泄物の重さ及び動物の体重の測定を行うことができる。時間ｔ2から時間ｔ3の間は、動物用トイレ１００に動物が載っておらず、出力部６１が受ける力の大きさは略一定（重さＷ1）である。
【００８２】
時間ｔ3において、動物が、動物用トイレ１００の前側から上容器１０の内側に入ると、トイレ本体部１の重量の増加に伴い、出力部６１（ロードセル）が受ける力が増加する。具体的には、時間ｔ3における、動物用トイレ１００に動物が入った状態の重さＷ4として、ロードセルは信号を出力し、記憶部は、時間ｔ3における重さＷ4を記憶する。
【００８３】
時間ｔ3から時間ｔ4の間に動物が排泄を行う。時間ｔ3から時間ｔ4の間において、出力部６１が受ける力の大きさは略一定（重さＷ4）である。
【００８４】
続いて、時間ｔ4に動物が動物用トイレ１００の外側に出ると、トイレ本体部１の重量の減少に伴い、出力部６１が受ける力が減少する。具体的には、時間ｔ4における出力部６１が受ける力を重さＷ2として、ロードセルは信号を出力し、記憶部は、時間ｔ4における重さＷ2を記憶する。
【００８５】
制御部は、時間ｔ4における重さＷ2と、時間ｔ3における重さＷ1との差（Ｗ2−Ｗ1）を算出することで、時間ｔ4から時間ｔ3の間に動物が行った排泄物の重さを得る。同様に、時間ｔ3における重さＷ4と、時間ｔ4における重さＷ2との差（Ｗ4−Ｗ2）を算出することで、動物の体重を得る。
【００８６】
制御部は、得られた排泄物の重量を、通信部を介して使用者の端末に送信し、端末の画面に表示可能となる。制御部は、排泄物の重量に限らず、得られた各種データを送信して表示させてもよい。得られた各種データは、排泄の回数、排泄をした時刻、動物の体重等である。また、各データの累積をグラフや表に示してもよい。
【００８７】
＜＜位置規制手段について＞＞
使用状態において、出力本体部６０に対してトイレ本体部１の位置がずれてしまう要因は複数ある。例えば、上容器１０に排泄物処理剤を入れる場合、排泄物処理剤から動物の排泄物（便）を取り除く場合、上容器１０から排泄物処理剤を取り除く場合、上容器１０、下側本体２０、トレイ３０等の各部材を洗浄したりする際に動物用トイレ１００から取り外す場合、トレイ３０に載置した吸収性シートの交換のためにトレイ３０を引き出したり、押し入れたりする場合、更に、動物が動物用トイレに飛び乗った場合等がある。出力本体部６０に対してトイレ本体部１の位置がずれてしまうと、出力本体部６０にトイレ本体部１が傾いて載置されたりして、排泄物や動物の重量を正確に測定することができなかったり、トイレ本体部１が転倒してしまったりする恐れがある。
【００８８】
この点、動物用トイレ１００は、トイレ本体部１に設けられたトイレ側規制部と、出力本体部６０に設けられた出力側規制部とからなる位置規制手段を有している。位置規制手段によって、トイレ本体部１と出力本体部６０の前後方向又は左右方向の少なくとも一方における相対位置を規制している。
【００８９】
動物用トイレ１００において、トイレ側規制部はトイレ側凹部２６であり、出力側規制部は出力側凸部６２である。図７Ａは、動物用トイレ１００の前側部分の左右方向の中心における概略断面図である。図７Ｂは、動物用トイレ１００の左側部分の前後方向の中心における概略断面図である。
【００９０】
図５Ａ等に示すように、出力本体部６０の出力側凸部６２は、出力部６１より上側に向かって突出した部分である。出力側凸部６２は、平面視において、環状で、その外形は、出力本体部６０の外形に沿っている。出力側凸部６２は、前側凸部６２ａと、後側凸部６２ｂと、左側凸部６２ｃと、右側凸部６２ｄを備える。前側凸部６２ａは、出力本体部６０の前側に設けられ、左右方向に沿っており、後側凸部６２ｂは、出力本体部６０の後側に設けられ、左右方向に沿っており、左側凸部６２ｃは、出力本体部６０の左側に設けられ、前後方向に沿っており、右側凸部６２ｄは、出力本体部６０の右側に設けられ、前後方向に沿っている。前側凸部６２ａと、後側凸部６２ｂと、左側凸部６２ｃと、右側凸部６２ｄの上端は、略同じ高さである。
【００９１】
図７Ａに示すように、下側本体２０のトイレ側凹部２６に前側凸部６２ａを嵌合させることで、出力本体部６０に対するトイレ本体部１の前後方向における位置を規制することができる。例えば、トイレ本体部１に対して前側から後側に向かう力が加えられると、トイレ本体部１は後側に向かって移動しようとするところ、前側凸部６２ａの前側の側壁が、トイレ側凹部２６の内側の前側の側壁に当接することで、出力本体部６０に対するトイレ本体部１の位置を規制することができる。なお、前側凸部６２ａの上端は、トイレ側凹部２６に接触しない。
【００９２】
位置規制手段としてトイレ側凹部２６と前側凸部６２ａとを当接させると、トイレ側凹部２６と前側凸部６２ａとの間に衝撃や摩擦が生じる恐れがある。一方、出力部６１の頂面６１ａに衝撃や摩擦が加わると、排泄物や動物の重量を正確に計測できない恐れがある。この点、前側凸部６２ａは、出力部６１とは異なる部位であり、その側壁６１ｂとは異なる部位である。そのため、トイレ側凹部２６と側壁６１ｂとを当接させないため、側壁６１ｂとつながっている頂面６１ａが変形したり、破損したりする恐れを抑制することができる。これによって、出力本体部６０に対するトイレ本体部１の前後方向の位置を規制しつつ、排泄物や動物の重量をより正確に計測することができる。
【００９３】
さらに、前側凸部６２ａだけでなく、下側本体２０のトイレ側凹部２６に後側凸部６２ｂを嵌合させることがより好ましい。このとき、後側凸部６２ｂの上端が、トイレ側凹部２６に接触しない。これによって、出力本体部６０に対するトイレ本体部１の前後方向における位置をより規制することができる。
【００９４】
同様に、図７Ｂに示すように、下側本体２０のトイレ側凹部２６に左側凸部６２ｃを嵌合させることで、出力本体部６０に対するトイレ本体部１の左右方向における位置を規制することができる。このとき、左側凸部６２ｃの上端が、トイレ側凹部２６に接触しない。例えば、トイレ本体部１に対して左側から右側に向かう力が加えられると、トイレ本体部１は右側に向かって移動しようとするところ、左側凸部６２ｃの左側の側壁が、トイレ側凹部２６の内側の左側側壁に当接することで、出力本体部６０に対するトイレ本体部１の位置を規制することができる。
【００９５】
さらに、左側凸部６２ｃだけでなく、下側本体２０のトイレ側凹部２６に右側凸部６２ｄを嵌合させることがより好ましい。このとき、右側凸部６２ｄの上端が、トイレ側凹部２６に接触しない。これによって、出力本体部６０に対するトイレ本体部１の左右方向における位置をより規制することができる。
【００９６】
また、図５Ａ等に示すように、下側本体２０のトイレ側凹部２６に前側凸部６２ａ、後側凸部６２ｂ、左側凸部６２ｃ、右側凸部６２ｄをそれぞれ嵌合させることがより好ましい。このようにすることで、出力本体部６０に対するトイレ本体部１の前後方向における位置及び左右方向における位置をより規制することができる。そのため、トイレ本体部１に対してどの方向から力を加えられた場合でも、トイレ本体部１の位置が大きくずれる恐れを軽減させることができる。
【００９７】
前側凸部６２ａと同様に、後側凸部６２ｂ、左側凸部６２ｃ、右側凸部６２ｄは、それぞれ出力部６１とは異なる部位であり、その側壁６１ｂとは異なる部位である。そのため、トイレ側凹部２６と側壁６１ｂとを当接させないため、側壁６１ｂとつながっている頂面６１ａが変形したり、破損したりする恐れを抑制することができる。これによって、出力本体部６０に対するトイレ本体部１の前後方向の位置を規制しつつ、排泄物や動物の重量をより正確に計測することができる。
【００９８】
なお、前側凸部６２ａ、後側凸部６２ｂ、左側凸部６２ｃ、右側凸部６２ｄを、それぞれトイレ側凹部２６に嵌合させた状態において、トイレ側凹部２６の最も凹んだ部分と、前側凸部６２ａの上端、後側凸部６２ｂの上端、左側凸部６２ｃの上端、右側凸部６２ｄの上端とが、それぞれ離間している。これにより、頂面６１ａに対して力を作用させる部分を最大凸部２８に限定することができる。出力側凸部６２とトイレ本体部１は、上下方向については当接せず、左右方向又は前後方向については当接する。これによって、頂面６１ａに対して最大凸部２８から安定した状態で力を加えることができ、排泄物や動物の重量をより正確に計測することができる。
【００９９】
図４、図７Ａ等に示すように、前後方向及び左右方向において、トイレ側凹部２６を最大凸部２８より内側に設け、また、最大凸部２８を前後方向及び左右方向における外側隣接凸部２７の外側に設けることが好ましい。トイレ本体部１に対して前後方向又は左右方向に大きな力を加えられた場合でも、出力側凸部６２が最大凸部２８に当接することで、出力本体部６０に対してトイレ本体部１が大きくずれてしまう恐れをより軽減させることができる。つまり、前後方向又は左右方向にトイレ本体部１に対して加えられた力が大きい場合に、トイレ側凹部２６と出力側凸部６２との嵌合が外れてしまった場合でも、最大凸部２８と出力側凸部６２とが当接しやすいため、出力本体部６０に対してトイレ本体部１が大きくずれてしまう恐れをより軽減させることができる。
【０１００】
＜第１実施形態の変形例＞
上述の動物用トイレ１００は、出力側位置規制部として、前側凸部６２ａ、後側凸部６２ｂ、左側凸部６２ｃ、右側凸部６２ｄを備える出力側凸部６２を備えたが、これに限られない。図８Ａ〜図８Ｄは、それぞれ第１実施形態の変形例の出力本体部６０の概略平面図である。
【０１０１】
例えば、図８Ａに示すように、出力本体部６０は、出力側位置規制部として、平面視において略矩形形状の後側凸部６２ｂのみを備えるものであってもよい。下側本体２０のトイレ側凹部２６に前側凸部６２ａを嵌合させることで、出力本体部６０に対するトイレ本体部１の前後方向における位置を規制することができる。特に、トイレ本体部１が、前側から後側に向かって力が加えられた場合に、出力本体部６０に対してトイレ本体部１が後側にずれてしまう恐れを軽減させやすくなる。
【０１０２】
図８Ｂに示すように、出力本体部６０は、出力側位置規制部として、平面視において略矩形形状の左側凸部６２ｃのみを備えるものであってもよい。下側本体２０のトイレ側凹部２６に左側凸部６２ｃを嵌合させることで、出力本体部６０に対するトイレ本体部１の左右方向における位置を規制することができる。
【０１０３】
また、図８Ｃに示すように、出力本体部６０は、出力側位置規制部として、平面視においてそれぞれ略矩形形状の、後側凸部６２ｂと、左側凸部６２ｃと、右側凸部６２ｄを備えるものであってもよい。下側本体２０のトイレ側凹部２６に後側凸部６２ｂと、左側凸部６２ｃと、右側凸部６２ｄを嵌合させることで、出力本体部６０に対するトイレ本体部１の前後方向及び左右方向における位置を規制することができる。出力本体部６０に対するトイレ本体部１の位置が特にずれやすい方向に対応する出力側凸部６２を設けることで、より位置を規制しやすくなる。
【０１０４】
さらに、出力側規制部としての出力側凸部６２は、必ずしも、前後方向又は左右方向に沿っている必要はなく、出力側凸部６２が矩形形状でなくてもよい。平面視において略円形、略三角形等の任意の出力側凸部６２を設けてもよい。図８Ｄに示すように、下側本体２０に嵌合した際にトイレ側凹部２６の角に該当する位置に略円形の出力側凸部６２を設けてもよい。このように、下側本体２０のトイレ側凹部２６の形状や、トイレ本体部１に加えられる前後又は左右方向の力の大きさ等に応じて、出力側凸部６２の形状や数を適宜変更することができる。
【０１０５】
＝＝＝第２実施形態＝＝＝
＜動物用トイレ１０１の全体構成＞
図９は、第２実施形態の動物用トイレ１０１の概略斜視図である。図１０は、動物用トイレ１０１の分解斜視図である。第１実施形態では、動物用トイレ１は、トレイ３０を下側本体２０に支持させた状態で抜き差し可能とする構成としたが、これに限られない。例えば、図９及び図１０に示すように、トイレ本体部２が、トレイ３０と下側本体２０が一体となった下容器３０を有する構成でもよい。図９及び図１０において、適宜カバーを使用してもよいし、カバーを用いなくてもよい。
【０１０６】
＜＜トイレ本体部２の構成＞＞
＜＜＜上容器１０の構成＞＞＞
図９及び図１０に示すように、上容器１０は、有底無蓋の容器であり、底面に底部１１を備えている。底部１１は、平面視が略矩形形状であり、上下方向に貫通する複数の孔ｈを有する。各孔ｈは、縦長形状であり、動物の排泄物のうち、尿（液体）は通すが、糞便（固体）は通さない大きさである。
【０１０７】
＜＜＜下容器３０の構成＞＞＞
下容器３０は、尿等を吸収する吸収性シートが配置される平坦な有底無蓋の略矩形状の容器である。下容器３０は、前側端部及び後側端部にそれぞれ設けられた取っ手部３１と、受け部３２と、トイレ側凹部３６を有する。トイレ本体部２を出力本体部６０１から分離させる際等において、取っ手部３１を掴むことで、トイレ本体部２を持ち上げることができる。受け部３２は、吸収性シートを設置して、孔ｈを通過した排泄物を受ける。トイレ側凹部３６は、下容器３０の底面から上側に向かって凹んだ部分である。トイレ側凹部３６は、下容器３０の角部付近に１つずつ、合計４つ設けられており、平面視略円形である。
【０１０８】
＜＜出力本体部６０１の構成＞＞
図１０に示すように、出力本体部６０１は、出力部６１、出力側凸部６２、表示部７０を有する。出力部６１は、平面視において矩形形状を有し、所定の厚みを有する。第１実施形態の制御部と同じ構成であるため、その詳細は省略する。
【０１０９】
制御部は、第１実施形態の制御部と同じ構成であるため、その詳細は省略する。なお、第１実施形態では、得られた排泄物の重量を、通信部を介して使用者の端末等に表示させることにしたが、これに限られない。図９及び図１０に示すように、動物用トイレ１０１に表示部７０を設けて、制御部と表示部との間で無線又は有線による通信を行って、表示部７０に排泄物の重量を表示させてもよい。
【０１１０】
出力側凸部６２は、出力部６１の頂面６１ａより上側に突出した、略円柱状の突出部である。出力部６１と出力側凸部６２は、それぞれ別部材で構成され、出力部６１の頂面６１ａに出力側凸部６２を接着剤等により接合しても、出力部６１と出力側凸部６２とを一体の部材として構成してもよい。
【０１１１】
＜動物用トイレ１０１による重量測定について＞
出力部６１に設けられたロードセルが、頂面６１ａに作用する力の大きさに応じた信号を出力する。動物用トイレ１０１の重量測定の方法は、第１実施形態と同じであるため詳細は省略する。
【０１１２】
＜＜位置規制手段について＞＞
動物用トイレ１０１において、トイレ本体部２に設けられたトイレ側規制部と、出力本体部６０１に設けられた出力側規制部とからなる位置規制手段を有している。位置規制手段によって、トイレ本体部２と出力本体部６０１の前後方向又は左右方向の少なくとも一方における相対位置を規制している。
【０１１３】
動物用トイレ１０１において、トイレ側規制部はトイレ側凹部３６であり、出力側規制部は出力側凸部６２である。下容器３０のトイレ側凹部３６に出力側凸部６２を嵌合させることで、出力本体部６０１に対するトイレ本体部２の前後方向及び左右方向における位置を規制することができる。具体的には、出力側凸部６２の側面をトイレ側凹部３６の側面に当接させることで、トイレ本体部２の前後方向及び左右方向における位置を規制する。なお、出力側凸部６２とトイレ側凹部３６とを嵌合させた状態において、出力側凸部６２の上端とトイレ側凹部３６の最も凹んだ部分とが離間している。
【０１１４】
＝＝＝第３実施形態＝＝＝
＜動物用トイレ１０２の全体構成＞
図１１は、第３実施形態の動物用トイレ１０２の概略斜視図である。図１２は、動物用トイレ１０２の分解側面部である。図１３Ａは、動物用トイレ１０２を前側から見た概略正面図である。図１３Ｂは、動物用トイレ１０２を後側から見た概略正面図である。
【０１１５】
図１１及び図１２に示すように、動物用トイレ１０２は、上容器１０、下側本体２０、トレイ３０、カバー４０、及び出力本体部６０２と、を備えている。動物用トイレ１０２のうち、トイレ本体部１及び重量測定の方法は、第１実施形態と同じであるため、詳細な説明は省略する。出力本体部６０２は略箱型形状を有しており、図１１等に示すように、使用状態の動物用トイレ１０２は、出力本体部６０２の上方からトイレ本体部１を入れた状態となる。
【０１１６】
＜＜出力本体部６０２の構成＞＞
図１４Ａは、出力本体部６０２の概略平面図である。図１４Ｂは、出力本体部６０２の概略斜視図である。図１４Ａ及び図１４Ｂに示すように、出力本体部６０２は、出力部６１と、出力側突出部６３、及び底面６４を有する。出力部６１は、底面６４の上に載置されており、その構成は、第１実施形態と同じであるため、詳細な説明は省略する。
【０１１７】
図１４Ｂ等に示すように、出力側突出部６３は、底面６４から上側に突出しており、出力側突出部６３の上端は、出力部６１の上端より上側である。出力側突出部６３は、出力部６１より前側に設けられた前側突出部６３ａと、出力部６１より後側に設けられた後側突出部６３ｂと、出力部６１より左側に設けられた左側突出部６３ｃと、出力部より右側に設けられた右側突出部６３ｄを有する。前側突出部６３ａと後側突出部６３ｂと左側突出部６３ｃと右側突出部６３ｄは、それぞれ所定の厚みを有する壁部であり、各上端の高さは略同じである。前側突出部６３ａは、左右方向の中央部及び上下方向の下部に開口を有している。
【０１１８】
＜＜位置規制手段について＞＞
動物用トイレ１０２は、トイレ本体部１に設けられたトイレ側位置規制部と、出力本体部６０２に設けられた出力側規制部とからなる位置規制手段を有している。位置規制手段によって、トイレ本体部１と出力本体部６０２の前後方向又は左右方向の少なくとも一方における相対位置を規制している。
【０１１９】
動物用トイレ１０２において、トイレ側規制部はトイレ本体部１の外側面２４であり、出力側規制部は、出力側突出部６３である。図１５Ａは、動物用トイレ１０２の前側部分の左右方向の中心における概略断面図である。図１５Ｂは、動物用トイレ１０２の左側部分の前後方向の中心における概略断面図である。図１６Ａ〜図１６Ｄは、第３実施形態の変形例の出力本体部６０２の概略斜視図である。
【０１２０】
図１５Ａに示す概略断面図に示すように、出力本体部６０２は、後側突出部６３ｂを備えている。例えば、トイレ本体部１に対して前側から後側に向かって力を加えられると、トイレ本体部１が後側に移動するところ、トイレ本体部１の後壁２４ｂを後側突出部６３ｂに当接させることで、トイレ本体部１の動きを制限することができる。つまり、出力本体部６０２に対するトイレ本体部１の後側への移動を規制し、トイレ本体部１が過度に後側にずれてしまう恐れを軽減させることができる。
【０１２１】
なお、位置規制手段として後壁２４ｂと後側突出部６３ｂとを前後方向において当接させると、後壁２４ｂと後側凸部６２ｂとの間に衝撃や摩擦が生じる恐れがある。一方、出力部６１の頂面６１ａに衝撃や摩擦が加わると、排泄物や動物の重量を正確に計測できない恐れがある。この点、後側突出部６３ｂは、出力部６１とは異なる部位であり、側壁６１ｂとも異なる部位である。そのため、後側突出部６３ｂと側壁６１ｂとを当接させないため、側壁６１ｂとつながっている頂面６１ａが変形したり、破損したりする恐れを抑制することができる。これによって、出力本体部６０に対するトイレ本体部１の前後方向の位置を規制しつつ、排泄物や動物の重量をより正確に計測することができる。
【０１２２】
なお、図１６Ａに示すように、出力本体部６０２が、出力側突出部６３として、後側突出部６３ｂのみを備える構成であってもよい。これによって、出力本体部６０２に対してトイレ本体部１が過度に後側にずれてしまう恐れを軽減させることができる。
【０１２３】
さらに、出力本体部６０２が前側突出部６３ａを備えることがより好ましい。出力本体部６０２が前側突出部６３ａを備えることで、例えば、トイレ本体部１に対して後側から前側に向かって力が加えられた場合でも、下側本体２０の前壁２４ａを前側突出部６３ａに当接させて、前側にずれてしまう恐れも軽減させることができる。
【０１２４】
なお、図１６Ｂに示すように、出力本体部６０２が、出力側突出部６３として、前側突出部６３ａと後側突出部６３ｂのみを備える構成であってもよい。これによって、出力本体部６０２に対してトイレ本体部１が過度に前後方向にずれてしまう恐れを軽減させることができる。
【０１２５】
同様に、図１５Ｂに示すように、出力本体部６０２が、左側突出部６３ｃを備えることが好ましい。これによって、トイレ本体部１に対して右側から左側に向かって力が加えられた場合にも、下側本体２０の外側面２４の左側を左側突出部６３ｃに左右方向に当接させることで、出力本体部６０２に対してトイレ本体部１が左側にずれる恐れを軽減させることができる。
【０１２６】
なお、図１６Ｃに示すように、出力本体部６０２が、出力側突出部６３として、左側突出部６３ｃのみを備える構成であってもよい。これによって、出力本体部６０２に対してトイレ本体部１が過度に左側にずれてしまう恐れを軽減させることができる。
【０１２７】
さらに、出力本体部６０２が右側突出部６３ｄを備えることがより好ましい。出力本体部６０２が右側突出部６３ｄを備えることで、例えば、トイレ本体部１に対して左側から右側に向かって力が加えられた場合でも、下側本体２０の外側面２４の右側を右側突出部６３ｄに左右方向に当接させることで、出力本体部６０２に対してトイレ本体部１が右側にずれる恐れも軽減させることができる。
【０１２８】
なお、図１６Ｄに示すように、出力本体部６０２が、出力側突出部６３として、左側突出部６３ｃと右側突出部６３ｄのみを備える構成であってもよい。これによって、出力本体部６０２に対してトイレ本体部１が過度に左右方向にずれてしまう恐れを軽減させることができる。
【０１２９】
また、より好ましくは、図１４Ａ等に示すように、出力本体部６０２が、前側突出部６３ａ、後側突出部６３ｂ、左側突出部６３ｃ、右側突出部６３ｄを備えるとよい。これによって、前後方向及び左右方向において、出力本体部６０２に対するトイレ本体部１の位置をより規制することができる。これにより、トイレ本体部１に対してどの方向から力を加えられた場合でも、トイレ本体部１の位置が大きくずれる恐れを軽減させることができる。
【０１３０】
トイレ本体部１のように、前側開口部２３からトレイ３０を前後方向に沿って抜き差しを行う場合に、動物用トイレ１０２を前後方向に沿って見た場合に、前側突出部６３ａが下側本体２０の前側開口部２３と重ならならず、前側突出部６３ａが下側本体２０と重なることが好ましい。例えば、図１３Ａ等に示すように、動物用トイレ１０２を前後方向に沿って見た場合に、前側突出部６３ａが下側本体２０と重なる部分を有する一方で、前側突出部６３ａが前側開口部２３と重なる部分については、くり抜かれたような状態であることが好ましい。これによって、トレイ本体１を出力本体部６０の上方から載置した、動物用トイレ１０２の使用状態のまま、トレイ３０を下側本体２０から前後方向に沿って引き出すことを可能としつつ、下側本体２０の前壁２４ａと前側突出部６３ａとを当接させることができ、出力本体部６０２に対してトイレ本体部１が前側にずれる恐れを軽減させることができる。
【０１３１】
なお、前側突出部６３ａの形状は、図１３Ａ等に示すものに限られない。図１７Ａ〜図１７Ｃは、第３実施形態の変形例の出力本体部６０２の概略斜視図である。
【０１３２】
例えば、図１７Ａに示すように、出力本体部６０２が、上下方向において、前側開口部２３より下側で下側本体２０と重なる前側突出部６３ａを備えるものであってもよい。これによって、動物用トイレ１０２の使用状態のまま、トレイ３０を下側本体２０から前後方向に沿って引き出すことを可能としつつ、下側本体２０の前壁２４ａの下側部分と前側突出部６３ａとを当接させて、出力本体部６０２に対してトイレ本体部１が前側にずれる恐れを軽減させることができる。
【０１３３】
図１７Ｂに示すように、出力本体部６０２が、上下方向において、前側開口部２３より上側で下側本体２０と重なる前側突出部６３ａを備えるものであってもよい。これによって、動物用トイレ１０２の使用状態のまま、トレイ３０を下側本体２０から前後方向に沿って引き出すことを可能としつつ、下側本体２０の前壁２４ａの上側部分と前側突出部６３ａとを当接させて、出力本体部６０２に対してトイレ本体部１が前側にずれる恐れを軽減させることができる。
【０１３４】
図１７Ｃに示すように、出力本体部６０２が、上下方向において、前側開口部２３より左右方向において外側で下側本体２０と重なる前側突出部６３ａを備えるものであってもよい。これによって、動物用トイレ１０２の使用状態のまま、トレイ３０を下側本体２０から前後方向に沿って引き出すことを可能としつつ、下側本体２０の前壁２４ａの左右方向における外側端部と前側突出部６３ａとを当接させて、出力本体部６０２に対してトイレ本体部１が前側にずれる恐れを軽減させることができる。
【０１３５】
＜第３実施形態の変形例＞
上述の第３実施形態においては、出力本体部６０２が、出力側突出部６３として、前側突出部６３ａ、後側突出部６３ｂ、左側突出部６３ｃ、右側突出部６３ｄを備えたが、前側突出部６３ａを備えず、後側突出部６３ｂと左側突出部６３ｃと右側突出部６３ｄを備える構成であってもよい。このようにすることで、動物用トイレ１０２の使用状態のまま、トレイ３０を下側本体２０から前後方向に沿って引き出すことを可能としつつ、出力本体部６０２に対してトイレ本体部１が後側又は左右方向にずれてしまう恐れを軽減させることができる。
【０１３６】
さらに、前側突出部６３ａが、トイレ本体部１と当接可能な当接部６３ｘと、当接部６３ｘより前側に延出した延出部６３ｙを備えてもよい。図１８Ａ及び図１８Ｂは、第３実施形態の変形例の出力本体部６０２の概略斜視図である。トイレ本体部１が後側に動いてしまう要因の一つとして、動物が前側から動物用トイレ１０２に飛び乗るように上容器１０に入ることがある。これに対して、図１８Ａ及び図１８Ｂに示すように、出力本体部６０２が延出部６３ｙを備えることで、動物がまず延出部６３ｙに脚をかけ、次に上容器１０の内側に入るという動作を取りやすくなる。これによって、トイレ本体部１が後側へ向かって動く恐れを軽減しつつ、何らかの原因でトイレ本体部１に後側から前側に向かって力が加えられた場合でも、当接部６３ｘと下側本体２０の前壁２４ａとの当接によって、トイレ本体部１の前側への動きを制限することができる。
【０１３７】
また、上述の第３実施形態においては、出力本体部６０２が、出力部６１と、出力部６１の側壁６１ｂとは異なる出力側突出部６３を備えたが、これに限られない。例えば、出力部６１と出力側突出部６３が一体として設けられ、出力側突出部６３が頂面６１ａの縁から上下方向に沿って設けられた側壁であってもよい。特許文献１（国際公開第２０１７／１０４２１６号公報）に示すペット用トイレは、第１重量計及び第２重量計を備えた支持部の上側に、排泄トレイ等を備えた本体容器を配置し、本体容器の底面の中央に設けられた穴に第１重量計を嵌合させているため、支持部の第２重量計と本体容器とが、前後方向又は左右方向について局所的（点状）に接触する。一方、第３実施形態や出力部６１と出力側突出部６３とを一体的に設けた場合には、出力側突出部６３とトイレ本体部１の外側面２４とをより広い範囲（線状）で接触させやすくなるため、出力本体部に対してトイレ本体部の前後方向又は左右方向の位置がずれてしまう恐れを軽減させつつ、動物の重量や動物の排泄物の重量をより正確に測定しやすくすることができる。
【０１３８】
＝＝＝その他の実施の形態＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【０１３９】
上述の実施形態においては、上方に開口部を備えるカバー４０を用いたがこれに限られない。例えば、下側本体部の略全域に亘って覆い、前側に動物が出入りするためのカバー開口部４１を有する構成のカバーであってもよいし、カバー４０自体を備えない構成であってもよい。
【０１４０】
上述の実施形態においては、出力部６１の頂面６１ａを、トイレ本体部１の下側本体２０の最大凸部２８に接触させてトイレ本体部１の重量を測定することにしたが、これに限られない。例えば、出力部６１を突出させて、下側開口部２２に出力部６１を篏合させて、頂面６１ａをトレイ３０の底面のみに接触させる構成であってもよい。頂面６１ａがトレイ３０のみに接触する構成とすることで、トレイ３０のみの重量を測定して、尿の重量のみを測定することができる。なお、この場合には、撥水性を有する排泄物処理材を用いることが好ましい。撥水性を有する排泄物処理剤を用いることで、多くの液体を吸液部材へ透過させる。仮に、液体を吸収しやすい排泄物処理剤を用いると、排泄物処理剤が多くの尿を吸収してしまって、尿量を正確に計測するのが困難になる。ただし、撥水性の排泄物処理剤であっても、若干量の尿が吸収される場合がある。そのような排泄物を使用する場合には、尿の量を検出する際に、使用する排泄物処理材の種類に応じて補正を行ってもよい。
【符号の説明】
【０１４１】
１  トイレ本体部、２  トイレ本体部、１０  上容器、１１  底部、１２  湾曲部、２０  下側本体、２１  上側開口部、２２  下側開口部（トイレ下側開口部）、２３  前側開口部、２４  外側面、２４ａ  前壁、２４ｂ  後壁、２４ｃ  左壁、２４ｄ  右壁、２５  内側隣接凸部、２６  トイレ側凹部（トイレ側規制部）、２７  外側隣接凸部、２８  最大凸部（トイレ最大凸部）、３０  トレイ、下容器、３１  取っ手、３２  受け部、３６  トイレ側凹部、４０  カバー、４１  カバー開口部、６０  出力本体部、６１  出力部、６１ａ  頂面、６１ｂ  側壁、６２  出力側凸部（出力側規制部）、６２ａ  前側凸部、６２ｂ  後側凸部、６２ｃ  左側凸部、６２ｄ  右側凸部、６３  出力側突出部、６３ａ  前側突出部、６３ｂ  後側突出部、６３ｃ  左側突出部、６３ｄ  右側突出部、６３ｘ  当接部、６３ｙ  延出部、６４  底面、７０  表示部、１００  動物用トイレ、１０１  動物用トイレ、１０２  動物用トイレ、６０１  出力本体部、６０２  出力本体部、ｈ  孔
【図１】
2020130031.tif 000003
【図２】
2020130031.tif 000004
【図３】
2020130031.tif 000005
【図４】
2020130031.tif 000006
【図５】
2020130031.tif 000007
【図６】
2020130031.tif 000008
【図７】
2020130031.tif 000009
【図８】
2020130031.tif 000010
【図９】
2020130031.tif 000011
【図１０】
2020130031.tif 000012
【図１１】
2020130031.tif 000013
【図１２】
2020130031.tif 000014
【図１３】
2020130031.tif 000015
【図１４】
2020130031.tif 000016
【図１５】
2020130031.tif 000017
【図１６】
2020130031.tif 000018
【図１７】
2020130031.tif 000019
【図１８】
2020130031.tif 000020